(57)【要約】【課題】四面体状に形成し、封止した包装容器を開封するときに、簡単、確実に引き裂き状に開封でき、開封後の供食時ではそのまま容器として利用できるようにする。【解決手段】底辺ａｂ、左右側辺ａｃ，ｂｄを有して平面で矩形状を呈する袋材２における上部開口部の端部ｃ，ｄ相互を当接して上部開口部をシールし、袋材２の底辺ａｂに対して直交配置される閉塞部３を形成する。これによって、底辺ａｂを共通の一辺とする三角形状の底側面部Ａ、上側面部Ｂ、及び閉塞部３を共通の一辺とする三角形状の左右側面部Ｃ，Ｄから成る四面体状の容器本体１とする。また、底辺ａｂの端部ａ，ｂから閉塞部３の中央部位である袋材２の上部開口部の端部ｃ，ｄに至る開封口６を形成するよう開封口６に沿って開封破断テープ４を袋材２の内側面に貼着配置する。開封破断テープ４の端部ａ，ｂ位置に摘み状の引き手４Ａを連設形成する。【選択図】図１
2010269845.tif 000002
【特許請求の範囲】
【請求項１】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備えて成ることを特徴とする四面包装体。
【請求項２】
開封破断テープは、底辺の端部から閉塞部の中央部位である袋材の上部開口部の端部に至る開封口を形成するよう左右側面部の内側面に貼着配置してある請求項１に記載の四面包装体。
【請求項３】
開封破断テープの一側縁を袋材の熱シールされる左右側辺に沿わせて貼着配置し、底辺の端部位置に摘み状の引き手を開封破断テープに連設形成してある請求項２に記載の四面包装体。
【請求項４】
底辺の端部部位に、引き手を引き離し可能にした補強部を形成してある請求項３に記載の四面包装体。
【請求項５】
開封破断テープは、閉塞部から底辺に至る開封口を形成するよう左右側面部の内側面に貼着配置して形成してある請求項１に記載の四面包装体。
【請求項６】
開封破断テープは、袋材の左右側辺上に沿って、あるいはこれと若干の間隙を隔てて平行にして配置形成してある請求項２または５に記載の四面包装体。
【請求項７】
開封破断テープは、底辺に至らずに、底辺とは若干の間隔を保つように袋材自体の一部が破断されずに残る非開披部を形成してある請求項５または６に記載の四面包装体。
【請求項８】
開封破断テープは、容器本体の閉塞部における中央部位からいずれか一方の端部側にずらした位置を始端とし、左右側面部を経て底辺の半ば位置に至るように左右側辺に対して傾斜状で、相互の間隔が次第に狭まるようにして配置形成してある請求項１に記載の四面包装体。
【請求項９】
開封破断テープは、閉塞部、左右側面部、上側面部それぞれの内側面に連続させて貼着配置して形成してある請求項１に記載の四面包装体。
【請求項１０】
開封破断テープは、始端位置とする閉塞部から左右側面部のいずれか一方、上側面部、左右側面部のいずれか他方それぞれの内側面を経て、終端位置とする閉塞部に再び至るように連続させて貼着配置して形成してある請求項１に記載の四面包装体。
【請求項１１】
開封破断テープは、上側面部の所定位置を始端とし、左右側面部内側面を経て閉塞部位置を終端とするように左右で対にして連続させて貼着配置して形成してある請求項１に記載の四面包装体。
【発明の詳細な説明】
【技術分野】
【０００１】
本発明は、三角形状の薄膜シート材をそれぞれの辺縁によって他のシート材に連続させることで四面体（三角錐体）状の立体として形成したいわゆるテトラ状包装体の改良に係り、食品の如き被収納物を立体的に保護した包装状態での陳列販売はもとより、供食時では簡単に開封でき、そのまま容器としても使用可能な四面包装体に関する。
【背景技術】
【０００２】
近時、スーパーマーケット、コンビニエンスストアその他では、包装された各種の弁当・惣菜等が提供されており、しかもそれらは通常は一人前の分量であることで、購入者の個々人による個別の購入、供食が可能であるから便利である。そのため、盛り付けられた状態で個別包装ができるように、やや硬質の薄膜シート材によって必要があれば仕切が設けられて所定形状に成型された容器本体と、これに施蓋されるように組み合わせられる蓋体等が用意されている。このような所定形状の立体的な容器等から成る風袋は、中身の調理品の供食後ではそのまま廃棄されることが予定されているが、そのまま廃棄するには嵩張り、その処理は面倒である。
【０００３】
こうした点を解消すべく、例えば特許文献１に示すような合成樹脂フイルム製の包装体が提案されている。この包装体の概略は、上部の１辺で開口され、熱シールによる左右側部、底部の３辺が閉塞されている矩形状の薄膜シート材製の包装袋によって、開口されている上部の辺縁の角部である左右側部の上端部相互を合わせて底部とほぼ直交するように封止することで、三角形状を呈する計４面の側面部によって、それぞれの辺縁にて他の側面部と連続して成るいわゆるテトラ状（三角錐体状）である四面体に形成する。そして、封止前には予め所定の被包装物を収納し、また適当量の気体の充填によって大気圧より僅かにでも高くして封止しておくのであり、取り出し時では封止した上部の辺縁における中央部を起点として前記の左右側部縁（熱圧着して形成したシール線）に沿って強制的に引き裂くように開封することによって、封止前の被包装物がそのまま露出され、また取り出せるようになるいわゆる舟形を呈する容器になるとする。
【０００４】
このような包装体によると、被収納物を収納した封止後で運搬し、また店頭等に陳列販売するにも取り扱いが容易であり、また、開封後の包装体素材そのものは単なる合成樹脂製フィルムであることで、その廃棄も容易である等の利点がある。
【先行技術文献】
【特許文献】
【０００５】
【特許文献１】特許第３９９７２５１号公報
【発明の概要】
【発明が解決しようとする課題】
【０００６】
上述した特許文献１による包装体によって各種の被収納物を収納保持し、販売、購入後等でこれを開封するには、開封時の引き裂きの始端（起点）は、包装される以前の袋材時の開口部における両端部であり、袋材の左右辺縁に沿って切り離すとされているから、その始端それぞれに引き裂き力が十分に付与される必要がある。このときに付与される引き裂き力は、包装体のシール閉塞部を左右に引き裂くように左右部分を強く反対方向に牽引することで得られ、いずれにしても、その始端それぞれに集中的に付与されることで円滑に引き裂いていくことができる。
【０００７】
ところで、収納・封止作業を行うときには、立体的な包装体になるように平面で矩形状を呈する袋材内に被収納物を収納した後に、袋材の開口部における折曲されている端部相互を展延、当接させた状態で、底辺とは直交する配置となして開口部をシールすることで閉塞するとする。ところが、その引き裂くための両始端位置が、シール閉塞部の中央位置で相互に相対して当接しておらず、左右方向でずれてしまうと、左右方向への引き裂き力の付与はその始端それぞれに集中せず、引き裂き開封操作が円滑に行われず、開封が困難な事態となってしまうことがある。このため、被収納物を収納後の密封シールに際し、端部相互の正確な位置合わせが必要である等の製造上の問題点があった。
【０００８】
また、開封作業が円滑に行われず、切断のためのカッター、鋏等の切断用具を使用せざるを得ないとなると、開封者、一般的には消費者・購買者にとって面倒なことになり、また商品としての欠陥が疑われ、商品提供者に苦情が寄せられることにもなる。
【０００９】
そこで本発明は叙上のような従来存した諸事情に鑑み創出されたもので、例えば食品の如き各種の被収納物を収納して四面体状の包装容器として封止されて陳列販売され、またそれが購入後で開封されるときには簡単、確実に引き裂き状に開封できるようにし、開封後の供食時ではそのまま舟形形状あるいは器形状の容器として使用可能にした四面包装体を提供することにある。
【課題を解決するための手段】
【００１０】
上述した課題を解決するため、本発明にあっては、底辺ａｂ、左右側辺ａｃ，ｂｄを有して平面で矩形状を呈する袋材２における上部開口部の端部ｃ，ｄ相互を当接して上部開口部をシールすることで、袋材２の底辺ａｂに対して直交配置される閉塞部３を形成し、底辺ａｂを共通の一辺とする三角形状の底側面部Ａ、上側面部Ｂ、及び閉塞部３を共通の一辺とする三角形状の左右側面部Ｃ，Ｄから成る四面体状の容器本体１と、この容器本体１を開封する開封口６を形成するよう開封口６に沿って袋材２の内側面に貼着配置される開封破断テープ４とを備えて成ることを特徴とする。
開封破断テープ４は、底辺ａｂの端部ａ，ｂから閉塞部３の中央部位である袋材２の上部開口部の端部ｃ，ｄに至る開封口６を形成するよう左右側面部Ｃ，Ｄの内側面に貼着配置して形成することができる。具体的には、例えば開封破断テープ４の一側縁を袋材２の熱シールされる左右側辺ａｃ，ｂｄに沿わせて貼着配置し、底辺ａｂの端部ａ，ｂ位置に摘み状の引き手４Ａを開封破断テープ４に連設形成し、また、端部ａ，ｂ部位に、引き手４Ａを引き離し可能にした補強部７を形成することができる。
また、開封破断テープ４は、閉塞部３から底辺ａｂに至る開封口６を形成するよう左右側面部Ｃ，Ｄの内側面に貼着配置して形成することができ、この場合、例えば、開封破断テープ４は、袋材２の左右側辺ａｃ，ｂｄ上に沿って、あるいはこれと若干の間隙を隔てて平行にして配置形成することができる。このとき、底辺ａｂに至らずに、底辺ａｂとは若干の間隔を保つように袋材２自体の一部が破断されずに残る非開披部５を形成することができる。
更には、開封破断テープ４は、容器本体１の閉塞部３における中央部位からいずれか一方の端部側にずらした位置を始端とし、左右側面部Ｃ，Ｄを経て底辺ａｂの半ば位置に至るように左右側辺ａｃ，ｂｄに対して傾斜状で、相互の間隔が次第に狭まるようにして配置形成することができる。
また、開封破断テープ４は、閉塞部３、左右側面部Ｃ，Ｄ、上側面部Ｂそれぞれの内側面に連続させて貼着配置して形成することができ、例えば、開封破断テープ４は始端位置とする閉塞部３から左右側面部Ｃ，Ｄのいずれか一方、上側面部Ｂ、左右側面部Ｃ，Ｄのいずれか他方それぞれの内側面を経て、終端位置とする閉塞部３に再び至るように連続させたり、あるいは上側面部Ｂの所定位置を始端とし、左右側面部Ｃ，Ｄ内側面を経て閉塞部３位置を終端とするように左右で対にして連続させたりして、配置形成することができる。
【００１１】
以上のように構成された本発明に係る四面包装体にあって、四面体状に密封包装された容器本体１において、そのシール閉塞された閉塞部３における開封破断テープ４による容器本体１の開封破断は、容器本体１を容易に開封させて開封口６を形成し、この開封口６を経て内部収納の被収納物Ｍを取り出させる。
開封破断テープ４による開封破断は、開封者によって開封破断テープ４を引っ張ることでこれに沿って容器本体１の素材を容易に引き裂かせ、容器本体１を確実に破断開封させて開封口６を開口形成させることで、収納した被収納物Ｍを取り出させる。
容器本体１を開封するに際し、底辺ａｂの端部ａ，ｂ位置の引き手４Ａによる引き剥がしで開封破断テープ４が容器本体１をその底辺ａｂ側から破断開口し、このときの開封破断テープ４は、熱シールされている左右側辺ａｃ，ｂｄに沿って開封破断テープ４幅員で容器本体１の袋面部を破断する。開封破断テープ４の底辺ａｂ側からの容器本体１に対する破断は、容器本体１が例えば電子レンジによって被収納物Ｍを加熱調理した際の容器本体１内に存する加熱蒸気を徐々に排出させて、開封者に対する安全性を配慮させる。
この破断、開封は、容器本体１を底側面部Ａを底部として上下方向に大きく開口させて分断し、底側面部Ａ、これに連続する半裁の左右側面部Ｃ，Ｄ下部から成る皿様に変形された容器本体１とし、容器本体１内に収容してある被収納物Ｍを取り出し可能にし、例えばそのまま供食させる。こうして変形された容器本体１において、上側面部Ｂ、これに連続する半裁の左右側面部Ｃ，Ｄ上部は蓋様となり、あるいは左右方向に開口して容器本体１における底辺ａｂを共通の一辺とする三角形状の底側面部Ａ及び上側面部Ｂそれぞれを底面部分とする舟形形状の皿様の容器とさせる。
開封破断テープ４の引き手４Ａは、開封破断テープ４の破断開始を容易にさせ、補強部７は引き手４Ａによる底辺ａｂ側からの破断操作に際し、容器本体１側を押さえさせ、破断作業を速やかに行わせる。
また、閉塞部３から底辺ａｂ側に至る開封破断テープ４による開封は、容器本体１を左右方向に開口して容器本体１における底辺ａｂを共通の一辺とする三角形状の底側面部Ａ及び上側面部Ｂそれぞれを底面部分とする舟形形状の皿様の容器に容器本体１を変形させる。また、閉塞部３と底辺ａｂ側とを連続させずに、閉塞部３位置を始端、終端とする開封破断テープ４による開封は容器本体１における底側面部Ａを底部とする器形状の容器に容器本体１を変形させる。
袋材２の左右側辺ａｃ，ｂｄに沿う開封破断テープ４による容器本体１の開封破断は、閉塞部３を左右部分に分断すると同時に、左右側面部Ｃ，Ｄをも分断し、左右で対称的な舟形形状の容器を形成させる。
また、この開封破断テープ４によっても左右側面部Ｃ，Ｄを分断させない非開披部５は、舟形形状に開封したときの中央部分で所定高さの堰片を形成し、器内部における液状分の外部への漏出を阻止させる。
閉塞部３における中央部位からいずれか一方の端部側にずらした位置から左右側辺ａｃ，ｂｄに対して傾斜した状態で底辺ａｂの半ば位置に至る開封破断テープ４は、左右で非対称となる舟形形状の器を形成させ、器の底面部となる底側面部Ａ、上側面部Ｂのいずれかで周囲を囲繞する堰片を有するものとなり、被収納物Ｍから浸出することがある液状分の外部への漏出を防止する。
上側面部Ｂ、左右側面部Ｃ，Ｄ、閉塞部３に連続させてそれぞれの内側面に配置した開封破断テープ４は、四面体状を呈する容器本体１における上部部分を除去させ、底側面部Ａ及びその周囲に連続する上側面部Ｂ、左右側面部Ｃ，Ｄの下部分を残置させることで周囲が囲繞されている器形状となす。
【発明の効果】
【００１２】
本発明は以上説明したように構成されているため、被収納物Ｍを収納した状態で包装される四面体状の容器本体１を開封破断テープ４による引き裂きで簡単、確実に開封して開封口６を得ることができ、開封後ではそのまま舟形形状あるいは器形状の容器として使用可能である利点を有する。特に、開封破断テープ４によって簡単、確実に開封できることで、従来であれば袋材２の上部開口部における引き裂き開封のための始端となる端部ｃ，ｄの内側面相互の厳密な位置合わせが必要であった製造上の問題を解決でき、その封止作業の能率向上、製造コストの低減化にも大きく寄与できる。
【００１３】
すなわち、これは本発明において、底辺ａｂ、左右側辺ａｃ，ｂｄを有して平面で矩形状を呈する袋材２によって、上部開口部を底辺ａｂに対して直交配置した閉塞部３に形成して底側面部Ａ、上側面部Ｂ、左右側面部Ｃ，Ｄから成る四面体状とした容器本体１と、この容器本体１に開封口６を形成するよう袋材２の内側面に貼着配置される開封破断テープ４とを備えて成るからであり、これによって、容器本体１の容易、確実な開封による開封口６の開口形成、開封後での舟形形状あるいは器形状の容器への変形を容易にする。
【００１４】
開封破断テープ４は、底辺ａｂの端部ａ，ｂから閉塞部３の中央部位である袋材２の上部開口部の端部ｃ，ｄに至るよう左右側面部Ｃ，Ｄの内側面に貼着配置し、底辺ａｂの端部ａ，ｂ位置の引き手４Ａによって容器本体１を破断開封するように形成してあることで、容器本体１における底部側の隅部を起点としてその隅部から容器本体１を破断開封できる。そのため、例えば容器本体１内の被収納物Ｍを電子レンジ等で加熱調理したときに容器本体１内に貯留される加熱蒸気の急速な一時的な大量の排出を防止して、徐々に僅かずつで加熱蒸気を排出でき、開封者に対する安全性を配慮したものとできる。
【００１５】
しかも、開封破断テープ４は、その一側縁を袋材２の熱シールされる左右側辺ａｃ，ｂｄに沿わせて貼着配置してあることで、その熱シール部分を強制的に引き剥がすように分断するから、破断開封はその左右側辺ａｃ，ｂｄに沿った直線状の開口となし、開封作業を一層円滑にすることができる。
【００１６】
更には、端部ａ，ｂ部位に引き手４Ａを引き離し可能にした補強部７を形成してあるので、引き手４Ａによる開封破断テープ４の引き剥がして破断開封するときには、容器本体１側を押さえつける支持部位となり、開封作業を円滑に行わせるのである。
【００１７】
容器本体１の左右側面部Ｃ，Ｄ、上側面部Ｂそれぞれの内側面に貼着配置された開封破断テープ４の始端等が閉塞部３内側面に位置することで、閉塞部３位置のシール密閉力が脆弱となるようにすることもできる。そうすると被収納物Ｍに対する電子レンジによる加熱調理時に被収納物Ｍから発生する所定圧力の加熱蒸気の排出路として剥離、破断形成され、容器本体１そのものによる調理をも可能にする利点もある。
【００１８】
また、開封破断テープ４は、袋材２の左右側辺ａｃ，ｂｄあるいはこれと平行に配置してあることで、開封破断テープ４による容器本体１の開封破断によって閉塞部３を左右部分に分断すると同時に、容器本体１における左右側面部Ｃ，Ｄをも分断し、その結果、左右で対称的な舟形形状の容器を簡単に形成でき、容器本体１内の被収納物Ｍを完全に露呈させ、取り出すことができる。
【００１９】
この開封破断テープ４による破断によってもその破断部分が袋材２の底辺ａｂに至らずに、底辺ａｂとは若干の間隔を保つように袋材２自体の一部が破断されずに残る非開披部５を形成することで、容器本体１の破断時に得られる容器には、この非開披部５が、展開される底側面部Ａ、上側面部Ｂ相互間で所定高さの堰片となり、例えば被収納物Ｍから浸出されることがある液状分の外部への漏出を阻止し、周囲を汚損させない。
【００２０】
更に、閉塞部３における中央部位からいずれか一方の端部側にずらした位置から左右側辺ａｃ，ｂｄに対して傾斜した状態で底辺ａｂの半ば位置に至るように開封破断テープ４を配置形成することで、この開封破断テープ４による容器本体１の分断は左右で非対称となる舟形形状の器を形成させることができる。これによって、他方に対し深底状となる一方では、器の底面部となる底側面部Ａあるいは上側面部Ｂのいずれかで、上側面部Ｂあるいは底側面部Ａに連続して残置される部位が周囲を囲繞する堰片ともなり、被収納物Ｍから浸出することがある液状分の外部への漏出を防止するのに役立つ。
【００２１】
また、開封破断テープ４を閉塞部３、左右側面部Ｃ，Ｄ、上側面部Ｂそれぞれの内側面に連続させて貼着配置して、底辺ａｂ位置には至らないように離間配置することで、この開封破断テープ４によって容器本体１を開封したときでは、開封口６は容器本体１の底側面部Ａを底部とした場合で、上側面部Ｂ、左右側面部Ｃ，Ｄそれぞれの上部部分を切除するものとなる。そのために、底側面部Ａの周囲は上側面部Ｂ、左右側面部Ｃ，Ｄそれぞれの下部部分で囲繞された器形状の容器を呈し、被収納物Ｍが例えば液状分を含む調理品等である場合でもそれを周囲に漏出させる虞は全くない。
【００２２】
開封破断テープ４の始端を上側面部Ｂの所定位置とし、左右側面部Ｃ，Ｄを経て終端を閉塞部３とすることで、底側面部Ａを底部としての容器本体１の上部部分を上側面部Ｂ側から切除できるから、切除操作も容易であり、上部縁が開封口６となる器形状の容器に簡単に変形できる。
【００２３】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００２４】
【図１】本発明を実施するための一形態を示すもので、第１の実施の形態における斜視図である。
【図２】同じく開封するときの斜視図であり、その（ａ）は底辺端部の一方から開封するとき、（ｂ）は更に底辺端部の他方から開封するときである。
【図３】同じく袋材を形成するときの袋面部、開封破断テープ等の配置を示す分解斜視図である。
【図４】同じく開封破断テープ部位における要部断面図である。
【図５】本発明を実施するための第２の実施の形態における斜視図である。
【図６】同じく開封したときの斜視図である。
【図７】同じく密封包装前における袋材の平面図である。
【図８】同じく第３の実施の形態における斜視図である。
【図９】同じく開封したときの斜視図である。
【図１０】同じく第４の実施の形態における斜視図である。
【図１１】同じく開封したときの斜視図である。
【図１２】同じく第５の実施の形態における斜視図である。
【図１３】同じく第５の実施の形態における他例の斜視図である。
【図１４】同じく内部にトレーと共に被収納物を装入した場合の第６の実施の形態における一部切欠斜視図である。
【発明を実施するための形態】
【００２５】
以下、図面を参照して本発明を実施するための一形態を説明するに、図において示される符号１は透明な所定肉厚の合成樹脂製フィルム・シート材にて形成されたほぼ四面体状（三角錐体状）、いわばテトラ状を呈するように形成される容器本体である。この容器本体１自体は、所定幅員、所定高さを有する矩形状を呈する扁平な袋材２によって形成される。
【００２６】
この袋材２は、扁平な状態においての底辺ａｂおよびこれに連続する左右側辺ａｃ，ｂｄは例えば熱シールされることで閉塞されていて、上辺ｃｄのみが開口されて上部開口部を形成している（図３、図７参照）。そして、この平面で矩形状を呈する袋材２において、上部開口部における端部ｃ，ｄそれぞれの内側面を相互に当接させ、上辺ｃｄの中央位置ｅ，ｆが端部となるようにすると共に、底辺ａｂに対して直交するように配置形成して、上部開口部縁からの所定幅員でシール閉塞することで形成した閉塞部３によって、四面体状（三角錐体状）を呈する容器本体１となるようになっている（例えば図１参照）。
【００２７】
この容器本体１においては、袋材２の底辺ａｂを一辺とする三角形状の底側面部Ａ（ａｂｇ）、同じく底辺ａｂを一辺とする三角形状の上側面部Ｂ（ａｂｈ）、袋材２の上部開口部辺ｅｆあるいはｇｈを一辺とする三角形状の左側面部Ｃ（ｂｈｇ）、同じく上部開口部辺ｅｆあるいはｇｈを一辺とする三角形状の右側面部Ｄ（ａｈｇ）の４面を有する四面体（三角錐体）となっている。また、容器本体１の容積・高さ等は、例えば収納される被収納物Ｍを収納するに十分なものとしてあるのは勿論である。
【００２８】
また、四面体状に形成された容器本体１を開封するために、袋材２素材を破断し、分離する帯材あるいは紐材等から成る開封破断テープ４が容器本体１における左右側面部Ｃ，Ｄ、上側面部Ｂ、閉塞部３の内側面に貼着配置されている。この開封破断テープ４による容器本体１に対する開封形態によって、容器本体１自体は開封口６が形成された舟形形状あるいは器形状に開口変形されるようになっている。このための開封破断テープ４は、容器本体１として形成される以前の袋材２の袋面部の内側面に所定の配置形態で予め貼着配置される。そして、開封破断テープ４のいずれか一方の端部は、容器本体１外に突出することで、容器本体１を破断開封する引き手４Ａとなっており、また、その両脇部分には破断開始が円滑となるように袋材２自体に引き裂きガイドとなる切れ目４Ｂを形成してある。尚、この切れ目４Ｂ自体は、容器本体１内外を連通させずに遮断している形態で設けられる。
【００２９】
尚、袋材２の素材自体においては、この開封破断テープ４による破断方向に沿って容易に破断される易開封性の一軸延伸フィルムによって形成されることが望ましい。
【００３０】
図示を省略したが、この開封破断テープ４に代え、袋材２の素材自体を破断する破断線を、左右側辺ａｃ，ｂｄにあるいはこれに若干の間隙を隔てて平行状にして形成することも可能である。この破断線は、例えば袋材２素材の肉厚の例えば半ば位置に達する深さの切り込み・溝等を形成しておくもので、強制的な外力の付与があって破断線に沿って袋材２自体を破断させるものとしてある。
【００３１】
図１乃至図４に示される第１の実施の形態において、開封破断テープ４は、底辺ａｂの端部ａ，ｂから閉塞部３の中央部位である袋材２の上部開口部の端部ｃ，ｄに至る開封口６を形成するよう左右側面部Ｃ，Ｄの内側面に貼着配置して形成される。具体的には、例えば開封破断テープ４の一側縁を袋材２の熱シールされる左右側辺ａｃ，ｂｄに沿わせて貼着配置し、端部ａ，ｂ位置に摘み状の引き手４Ａを開封破断テープ４に連設形成してある。
【００３２】
すなわち図３に示すように、袋材２が、平面矩形状の一対の袋面部を、その底辺ａｂ、左右側辺ａｃ，ｂｄそれぞれが熱シール等されることで形成されるとき、いずれか一方の袋面部における左右側辺ａｃ，ｂｄに沿わせて袋面部内側面に貼着されることで配置形成される。このとき、底辺ａｂにおける端部ａ，ｂ部位に、袋面部の外側面に位置するようにして開封破断テープ４に連設した引き手４Ａを引き離し可能にして補強部７を形成するのである。また、引き手４Ａ部分は、容器本体１の他部位と明確に区別できるように色による識別、凸部・膨らみ形状、容器本体１外方に突出する突出部形状その他によって形成できる。
【００３３】
図５、図６に示される第２の実施の形態においては、袋材２における左右側辺ａｃ，ｂｄの内側面に開封破断テープ４を貼着等することで配してあり、開封破断テープ４の端部は袋材２の開口部から若干でも外出していて、引き手４Ａとなっている。また必要に応じ、開封破断テープ４の引き手４Ａである端部近傍では、これの両脇部分の袋材２自体に切れ目４Ｂを設けることで、引き手４Ａによって引き裂くときの切断の一層の容易性を図れるようにすると良い。
【００３４】
この開封破断テープ４自体は、左右側辺ａｃ，ｂｄにおける折曲部分上に沿って配してあるも、左右側辺ａｃ，ｂｄとは若干の間隔を隔ててほぼ平行状にして配してあるもいずれでも良い。また開封破断テープ４は、左右側辺ａｃ，ｂｄそれぞれに沿って１本にするも、複数本にするもいずれでも良く、要は、開封破断テープ４の始端である引き手４Ａによって袋材２が分断され、開封されるものとなっていれば良い。
【００３５】
開封破断テープ４あるいは破断線による袋材２自体の破断は、袋材２の上部開口部から底辺ａｂ位置に至るまでとすることで、後述するように開封時では舟形容器として大きく開放したものとできる。
【００３６】
あるいは図８、図９にて示される第３の実施の形態のように、開封破断テープ４あるいは破断線による破断開封時では、底辺ａｂに至らずに、底辺ａｂとは若干の間隔を保つように袋材２自体の一部が破断されずに残る非開披部５を形成することができる。こうすると、開封時ではこの非開披部５が破断されずに残り、舟形容器として開放されたときの中央部位で所定高さを有する堰片となり、例えば食品である被収納物Ｍから浸出することがある液状分を外部に漏出させず、周囲を汚損させることがない。
【００３７】
図１０、図１１には第４の実施の形態が示されており、破断開封時に変形舟形形状を呈するものとして構成されている。すなわち、開封破断テープ４は、これらの図８、図９に示すように底側面部Ａを底部として載置したときの閉塞部３における中央部位からいずれか一方の端部側にずらした位置に、例えば上方位置である、底部からの高さ比率が４：６の位置にその始端を配置し、左右側面部Ｃ，Ｄを経て上側面部Ｂとの境界線を跨ぎ、上側面部Ｂにおける両側縁を経て底辺ａｂにおける内側位置にその終端を配置して成る。
【００３８】
そして、この場合にあっては、開封破断テープ４の袋材２に対する予めの配置は、袋材２を平面で見たとき、いずれか一方の片面において、上部開口部の端部ｃ，ｄの内側位置から底辺ａｂの半ば位置に至るように左右側辺ａｃ，ｂｄに対して傾斜状で、相互の間隔が次第に狭まるように配置することで対処可能である。また、開封破断テープ４に沿って容易に破断できるように、袋材２素材は先の実施の形態におけると同様に易開封性の一軸延伸フィルムによって形成されることが望ましい。尚、この開封破断テープ４における開封時の始端構造は、先の実施の形態におけると同様に構成されている。
【００３９】
こうすることで、袋材２内に所定の被収納物Ｍを収納密封後の容器本体１において、開封破断テープ４によって容器本体１を破断開封すると、図７に示すように舟形形状に開封されたときには、一半部では例えば被収納物Ｍが載置され、その周囲を囲繞する深底状の器体様を呈し、他半部では被収納物Ｍを覆うような蓋となる浅底状を呈するものとなる。このように開封時で左右半部それぞれの機能が異なるような平面でほぼ三角形状を呈する大小の器体様とすることで、被収納物Ｍ等の種別に応じた使用態様を選択できる。
【００４０】
図１２、図１３には第５の実施の形態が示されており、この第５の実施の形態における開封破断テープ４は、閉塞部３、左右側面部Ｃ，Ｄ、上側面部Ｂそれぞれの内側面に連続させて貼着配置して形成してある。具体的には例えば図１２に示すように、開封破断テープ４は始端位置とする閉塞部３から左右側面部Ｃ，Ｄのいずれか一方、上側面部Ｂ、左右側面部Ｃ，Ｄのいずれか他方それぞれの内側面を経て、終端位置とする閉塞部３に再び至るように連続させて形成する。この場合、閉塞部３部位において、袋材２における上部開口部の端部ｃ，ｄあるいはこれの近傍の内側面それぞれに開封破断テープ４の端部が配置されるも、いずれの側が始端あるいは終端であっても差し障りはなく、要は少なくてもいずれか一方の端部が引き手４Ａとなって、容器本体１を破断開封するものとなっていれば良い。尚、袋材２における袋面部内側面に開封破断テープ４を配置貼着するにつき、開封破断テープ４自体は直線状であることが望ましく、場合によっては１本の開封破断テープ４によらずに複数本で分割し、それらの端部が重なる等で連続配置することもある。
【００４１】
あるいは例えば図１３に示すように、上側面部Ｂ内の所定位置を始端とし、左右側面部Ｃ，Ｄ内側面を経て閉塞部３位置を終端とするように左右で対にすると共に、始端位置更には終端位置で連続させて、配置形成することができる。図示のように、上側面部Ｂにおける例えばそのほぼ中央部分の近傍を始端位置とし、この始端位置では左右の開封破断テープ４端部を重ね合わせておき、その重ね合わせた始端部分である引き手４Ａから順次に引き裂くことで開封するようにしてある。
【００４２】
また、図１４には容器本体１とする袋材２内に被収納物Ｍを装入するに際し、この被収納物Ｍを載置するようになっているトレー１０を使用する第６の実施の形態が示されている。すなわち、容器本体１における三角形状の底側面部Ａに比し大きくはない三角形状の底面部１１と、この底面部１１の各辺、少なくとも袋材２内に装入するときの装入先端側の辺に、折曲連続させることで立脚した堰片１２とを備えたトレー１０を袋材２とは別に用意しておく。そして、このトレー１０上に載置した被収納物Ｍを所定の堰片１２側から袋材２内に装入することで、被収納物Ｍの装入作業の円滑性と、装入密封後の被収納物Ｍの保護とを図ることができる。
【００４３】
尚、このトレー１０は耐水・耐油処理が施された紙片、更には吸水・吸油性がある不織布材等によることが主として予定されるも、これに限定されず、またその形状も袋材２内への装入後で袋材２をこれの内部から四面体状に形作るようになっていても良い。
【００４４】
次に、これの使用の一例を説明すると、予め所定の開封破断テープ４が内側面に貼着配置されている袋材２において、その上部開口部に例えば所定のエアー圧力を吹き付け供給して半ば開口させておく。そして、このようにして開口状態にある袋材２における上部開口部の端部ｃ，ｄ相互間に、必要があればトレー１０を使用して各種惣菜等の所定の被収納物Ｍを装入し、端部ｃ，ｄの内側面を相互に当接させて、底辺ａｂにほぼ直交する閉塞部３をシール閉塞して形成し、容器本体１として密封する。密封に際し、開封破断テープ４の始端である引き手４Ａ部分は容器本体１の底辺ａｂにおける端部ａ，ｂに（図１参照）、また閉塞部３の外部に外出した状態とする（図５、図８、図１０、図１２、図１３、ず１４参照）。
【００４５】
開封に際し、開封破断テープ４の引き手４Ａによって開封破断テープ４自体を引っ張り、これに沿って容器本体１を順次に開封し、開封部位に沿って開封口６を形成する。開封口６を形成することで開口された容器本体１自体は、第１乃至第４の実施の形態では、展開された底側面部Ａ上に被収納物Ｍが露呈される器状を呈し、更には底側面部Ａ及び上側面部Ｂ上に被収納物Ｍが露呈されることで載置されている舟形形状を呈する（図６、図９、図１１参照）。あるいは、第５の実施の形態では、容器本体１の底側面部Ａを底部とするときの上部部分を切除することで、底側面部Ａの周囲が囲繞された器形状を呈する。このような開封状態では、被収納物Ｍを、あるいは必要であれば他容器に移し替えて例えば食品である被収納物Ｍを供食すれば良い。
【００４６】
尚、開封に先立ち、電子レンジによって例えば食品である被収納物Ｍを加熱調理するとき、容器本体１内で生じる加熱蒸気は、開封破断テープ４があることで例えば閉塞部３においてシール作用が若干でも脆弱となる開封破断テープ４部位が、内部圧力で剥離、破断されることで蒸気排出口となり、加熱蒸気を円滑に排出させるようにすることも可能である。
【符号の説明】
【００４７】
１…容器本体                            ２…袋材
３…閉塞部                              ４…開封破断テープ
４Ａ…引き手                            ４Ｂ…切れ目
５…非開披部                            ６…開封口
７…補強部
１０…トレー                            １１…底面部
１２…堰片
Ａ…底側面部                            Ｂ…上側面部
Ｃ…左側面部                            Ｄ…右側面部
Ｍ…被収納物
ａｂ…袋材の底辺                        ｃｄ…袋材の上辺
ａｃ，ｂｄ…袋材の左右側辺
ｃ，ｄ…端部                            ｅ，ｆ…袋材における上辺の中央部位
【図１】
2010269845.tif 000003
【図２】
2010269845.tif 000004
【図３】
2010269845.tif 000005
【図４】
2010269845.tif 000006
【図５】
2010269845.tif 000007
【図６】
2010269845.tif 000008
【図７】
2010269845.tif 000009
【図８】
2010269845.tif 000010
【図９】
2010269845.tif 000011
【図１０】
2010269845.tif 000012
【図１１】
2010269845.tif 000013
【図１２】
2010269845.tif 000014
【図１３】
2010269845.tif 000015
【図１４】
2010269845.tif 000016
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、底辺の端部から閉塞部の中央部位である袋材の上部開口部の端部に至る開封口を形成するよう左右側面部の内側面に貼着配置してあることを特徴とする四面包装体。
【請求項２】
開封破断テープの一側縁を袋材の熱シールされる左右側辺に沿わせて貼着配置し、底辺の端部位置に摘み状の引き手を開封破断テープに連設形成してある請求項１に記載の四面包装体。
【請求項３】
底辺の端部部位に、引き手を引き離し可能にした補強部を形成してある請求項２に記載の四面包装体。
【請求項４】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、閉塞部から底辺に至る開封口を形成するよう左右側面部の内側面に貼着配置して形成してあることを特徴とする四面包装体。
【請求項５】
開封破断テープは、袋材の左右側辺上に沿って、あるいはこれと若干の間隙を隔てて平行にして配置形成してある請求項１または４に記載の四面包装体。
【請求項６】
開封破断テープは、底辺に至らずに、底辺とは若干の間隔を保つように袋材自体の一部が破断されずに残る非開披部を形成してある請求項４または５に記載の四面包装体。
【請求項７】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、容器本体の閉塞部における中央部位からいずれか一方の端部側にずらした位置を始端とし、左右側面部を経て底辺の半ば位置に至るように左右側辺に対して傾斜状で、相互の間隔が次第に狭まるようにして配置形成してあることを特徴とする四面包装体。
【請求項８】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、始端位置とする閉塞部から左右側面部のいずれか一方、上側面部、左右側面部のいずれか他方それぞれの内側面を経て、終端位置とする閉塞部に再び至るように連続させて貼着配置して形成してあることを特徴とする四面包装体。
【請求項９】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、上側面部の所定位置を始端とし、左右側面部内側面を経て閉塞部位置を終端とするように左右で対にして連続させて貼着配置して形成してあることを特徴とする四面包装体。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
底辺、左右側辺を有して平面で矩形状を呈する袋材における上部開口部の端部相互を当接して上部開口部をシールすることで、袋材の底辺に対して直交配置される閉塞部を形成し、底辺を共通の一辺とする三角形状の底側面部、上側面部、及び閉塞部を共通の一辺とする三角形状の左右側面部から成る四面体状の容器本体と、この容器本体を開封する開封口を形成するよう開封口に沿って袋材の内側面に貼着配置される開封破断テープとを備え、開封破断テープは、底辺の端部から閉塞部の中央部位である袋材の上部開口部の端部に至る開封口を形成するよう左右側面部の内側面に、袋材の熱シールされる左右側辺上に沿って、あるいはこれと若干の間隙を隔てて平行にして貼着配置すると共に、底辺の端部部位に形成してある補強部に引き離し可能に形成した摘み状の引き手を開封破断テープに連設してあることを特徴とする四面包装体。